(57)【要約】
【課題】ゲル体の変形緩衝力により、カバンを提げたとき、平面でない手に沿って変形し、持ち手面積が増大して、振動吸収力を高める。　　　
【解決手段】カバン持ち手の保護カバーは、主に外カバー層１０、ゲル体２０及び内カバー層３０から構成され、そのうち外カバー層１０と内カバー層３０は相互に固定する。また外カバー層１０と内カバー層３０の両側にはマジックテープ１１を設置し、それをカバンの持ち手に巻きつけて固定する。外カバー層１０、内カバー層３０間には収納空間１２が形成され、そこにゲル体２０を充填する。
【選択図】図１　
0003100535.tif 000002
【実用新案登録請求の範囲】
【請求項１】
　持ち手保護カバーの両側をマジックテープで合わせ、使用者が握る位置にゲル体を設置し、このゲル体外表面には外カバー層が設置され、握り手をゲル体が直接触れることから保護し、
　この外カバー層、ゲル体によって、力を受けた時、変形して、平面でない手の形状に沿い、握り面積を増大し、振動吸収力、弾力性を具えることを特徴とするカバン持ち手の保護カバー。
【請求項２】
　前記カバン持ち手の保護カバーは、外カバー層、ゲル体及び内カバー層から構成され、
　外カバー層は上面一側面にマジックテープが設置され、外カバー層は底面から上向きに収納空間が形成され、外カバー層に突部が成形されるもので、この突部は使用者の持ち手位置に設置し、
　外カバー層の収納空間にはゲル体が設置され、このゲル体は収納空間で直接常温不発泡充填して製造され、柔らかさを特徴とし、
　外カバー層底面には内カバー層を合わせ、この内カバー層が収納空間に設置したゲル体を包んで閉じ、内カバー層別側にマジックテープを設置し、外カバー層と内カバー層を両側に設置してマジックテープでカバンに巻きつけ、固定することを特徴とする請求項１記載のカバン持ち手の保護カバー。
【請求項３】
　前記外カバー層突部は、指型形状の補助ユニットを設置して、ゲル体をその中に充填することを特徴とする請求項２記載のカバン持ち手の保護カバー。
【請求項４】
　前記外カバー層突部は、複数の凸粒形状の補助ユニットを設置して、ゲル体をその中に充填することを特徴とする請求項２記載のカバン持ち手の保護カバー。
【請求項５】
　前記外カバー層は、底面別側に雄ボタンを設置し、内カバー層底面別側に雌ボタンを設置し、外カバー層と内カバー層を両側の雌雄ボタンで合わせて固定することを特徴とする請求項２記載のカバン持ち手の保護カバー。
【考案の詳細な説明】
【技術分野】
【０００１】
　本考案は、カバン持ち手の保護カバーに関するもので、ゲル体を具えた持ち手カバーにより、手の長時間に受ける力を改善して快適にするものである。
【背景技術】
【０００２】
　一般に旅行等する場合、手提げカバンや旅行カバンなどに衣類や日用品を詰める。手提げカバンや旅行カバンは、二本の持ち手でカバンを持つ。しかし、使用者が二本の持ち手を持つ場合、手との間に摩擦や応力の集中が発生し、一定の時間持っていると、熱くなったり、血路が滞ったりする状況が起こる。そのため、使用者は度々持つ手を換えることによって、この不快感を緩和しようとし、不便である。
【０００３】
　この改善策として、持ち手カバーを設置するものがある。それは主に一枚の片体両側にマジックテープを設置し、そのマジックテープを持ち手に巻きつけたり、旅行カバン持ち手に固定したりする。この時、使用者はこの片体状のカバーを直接握ることになり、持ち手との間をジョイントし、持ち手の不快感を緩和する。しかし、この片体は単純構造で、柔らかい手が硬い片体を持ち続けると、手の筋肉が硬化したり、傷つけたりしてしまう。更に人の手は凹凸があり、平面ではないため、従来の持ち手カバーが手にちょうど収まることができず、定位性が悪く、滑りやすい。
【特許文献１】特開２０００−０１４４３５号公報
【考案の開示】
【考案が解決しようとする課題】
【０００４】
　　解決しようとする問題点は、平面でない手のひらに沿わないため、力を受ける面積が限られ、快適に持つことができない点である。
【課題を解決するための手段】
【０００５】
　本考案は、主に外カバー層、ゲル体及び内カバー層から構成され、そのうち外カバー層と内カバー層は相互に固定する。また外カバー層と内カバー層の両側にはマジックテープを設置し、それをカバンの持ち手に巻きつけて固定する。外カバー層、内カバー層間には収納空間が形成され、そこにゲル体を充填することを最も主要な特徴とする。
　すなわち、本考案のカバン持ち手の保護カバーは以下に述べる特徴を有する。
１．持ち手保護カバーの両側をマジックテープで合わせ、使用者が握る位置にゲル体を設置するカバン持ち手の保護カバーにおいて、このゲル体外表面には外カバー層が設置され、握り手をゲル体が直接触れることから保護し、この外カバー層、ゲル体によって、力を受けた時、変形して、平面でない手の形状に沿い、握り面積を増大し、振動吸収力、弾力性を具えることを特徴とする。
２．前記カバン持ち手の保護カバーは、外カバー層、ゲル体及び内カバー層から構成され、
　外カバー層は上面一側面にマジックテープが設置され、外カバー層は底面から上向きに収納空間が形成され、外カバー層に突部が成形されるもので、この突部は使用者の持ち手位置に設置し、
　外カバー層の収納空間にはゲル体が設置され、このゲル体は収納空間で直接常温不発泡充填して製造され、柔らかさを特徴とし、
　外カバー層底面には内カバー層を合わせ、この内カバー層が収納空間に設置したゲル体を包んで閉じ、内カバー層別側にマジックテープを設置し、外カバー層と内カバー層を両側に設置してマジックテープでカバンに巻きつけ、固定することを特徴とする。
３．前記外カバー層突部は、指型形状の補助ユニットを設置して、ゲル体をその中に充填することを特徴とする。
４．前記外カバー層突部は、複数の凸粒形状の補助ユニットを設置して、ゲル体をその中に充填することを特徴とする。
５．前記外カバー層は、底面別側に雄ボタンを設置し、内カバー層底面別側に雌ボタンを設置し、外カバー層と内カバー層を両側の雌雄ボタンで合わせて固定することを特徴とする。
【考案の効果】
【０００６】
　本考案のカバン持ち手の保護カバーは、ゲル体の変形緩衝力により、カバンを提げたとき、平面でない手に沿って変形し、持ち手面積が増大して、振動吸収力を高めるという利点がある。
【考案を実施するための最良の形態】
【０００７】
　ゲル体を具えた持ち手で、長時間カバンを快適に持てるという目的を実現した。
【実施例】
【０００８】
　図１、２及び３に示すとおり、本考案は外カバー層１０、ゲル体２０及び内カバー層３０から構成される。
【０００９】
　そのうち、外カバー層１０は、上面一側面にマジックテープ１１が設置される。この外カバー層１０は底面から上に向かって収納空間１２が形成され、外カバー層１０が突部１３を形成する。この突部１３は使用者が握る位置となる。
【００１０】
　外カバー層１０の収納空間１２には、ゲル体２０が設置され、このゲル体２０は収納空間１２において常温不発泡で充填されるため、柔らかい。このゲル体２０の原料はシリコンを収納空間１２で製造するか、もしくは両剤型ポリウレタンの組み合わせで製造する。両剤型ポリウレタンを使用する場合は、少なくとも二種類の原料を調合する。そのうちの一剤は、橋かけ剤で、本考案ではＰＵ主剤（例としてポリオール）と橋かけ剤（例としてＭＤＩ）の二種類の原料比例混合する（これらの材料に関しては本考案の範囲としない）。ゲル体２０は良好な振動及び微動吸収の特質を具えるため、固体化すると、粘着性が残り、接触感が良くないので、使用者は直接使用することができない。そのため、このゲル体２０には外カバー層１０を設置して、使用者の手に直接接触しないようにする。
【００１１】
　外カバー層１０底面に内カバー層３０を合わせる。この接合方法は接着もしくは縫合によって行う。この内カバー層３０は収納空間１２内のゲル体２０を包み込んで閉じる。また内カバー層３０は底面別側にはマジックテープ３１を設置し、外カバー層１０と内カバー層３０のマジックテープ１１，３１を図４に示すとおり、手提げカバンもしくは旅行カバンの持ち手に固定する。
【００１２】
　上述の説明からわかるとおり、本考案はマジックテープ１１、３１で手提げカバン、旅行カバンの持ち手に固定すると、使用者の手は外カバー層１０の突部１３のみを握り、ゲル体２０が手提げカバン、旅行カバンの重量を緩和し、このゲル体２０が異なる手の形状によって形を変え、手のひらに外カバー層１０突部１３が広い面積で当たり、力を受ける面積が増大し、応力が分散されるので、カバンを長時間持つことができ、更に滑り止め効果も上がる。他にゲル体２０によって振動吸収力が高まり、反動回復力によって、使用者がカバンを提げて歩く時、カバンが上下する不快感を克服する。
【００１３】
　図３に示すとおり、本考案の外カバー層１０突部１３に、指形状の補助ユニット１４を設置し、ゲル体２０をその中に充填する。手に受ける面積を更に向上させることができる。当然、補助ユニット１４と指の間には適する通風空間を形成する。この他、図５に示すとおり、本考案の外カバー層１０突部１３に直接使用者の腕を置くと、マウスもしくはその他用具の操作に便利である。
【００１４】
　図６に示すのは、別の実施例で、本考案外カバー層１０突部１３に複数の凸粒形状の補助ユニット１４を設置し、ゲル体２０を充填すると、マッサージ、もしくは良好な通風効果を具える。
【産業上の利用可能性】
【００１５】
　図５に示すとおり、本考案の外カバー層突部に直接使用者の腕を置くと、マウスもしくはその他用具の操作時の使用にも適用できる。
【図面の簡単な説明】
【００１６】
【図１】本考案の分解指示図である。
【図２】本考案の立体指示図である。
【図３】本考案の断面指示図である。
【図４】本考案の実施例指示図である。
【図５】本考案の別の実施例指示図である。
【図６】本考案の外表層の別の実施例指示図である。
【符号の説明】
【００１７】
　　１０　　外カバー層
　　１１　　マジックテープ
　　１２　　収納空間
　　１３　　突部
　　１４　　補助ユニット
　　２０　　ゲル体
　　３０　　内カバー層
　　３１　　マジックテープ
【図１】
0003100535.tif 000003
【図２】
0003100535.tif 000004
【図３】
0003100535.tif 000005
【図４】
0003100535.tif 000006
【図５】
0003100535.tif 000007
【図６】
0003100535.tif 000008
【手続補正書】
【提出日】平成15年11月20日(2003.11.20)
【手続補正１】
【補正対象書類名】実用新案登録請求の範囲
【補正対象項目名】請求項１
【補正方法】変更
【補正の内容】
【請求項１】
　持ち手保護カバーの両側を面ファスナーで合わせ、使用者が握る位置にゲル体を設置し、このゲル体外表面には外カバー層が設置され、握り手をゲル体が直接触れることから保護し、
　この外カバー層、ゲル体によって、力を受けた時、変形して、平面でない手の形状に沿い、握り面積を増大し、振動吸収力、弾力性を具えることを特徴とするカバン持ち手の保護カバー。
【手続補正２】
【補正対象書類名】実用新案登録請求の範囲
【補正対象項目名】請求項２
【補正方法】変更
【補正の内容】
【請求項２】
　前記カバン持ち手の保護カバーは、外カバー層、ゲル体及び内カバー層から構成され、
　外カバー層は上面一側面に面ファスナーが設置され、外カバー層は底面から上向きに収納空間が形成され、外カバー層に突部が成形されるもので、この突部は使用者の持ち手位置に設置し、
　外カバー層の収納空間にはゲル体が設置され、このゲル体は収納空間で直接常温不発泡充填して製造され、柔らかさを特徴とし、
　外カバー層底面には内カバー層を合わせ、この内カバー層が収納空間に設置したゲル体を包んで閉じ、内カバー層別側に面ファスナーを設置し、外カバー層と内カバー層を両側に設置して面ファスナーでカバンに巻きつけ、固定することを特徴とする請求項１記載のカバン持ち手の保護カバー。